(57)【要約】【課題】専任保守員によるバッテリの電圧検査を行わなくても、バッテリの電圧が適正であるか否かを検知することである。【解決手段】エレベータの遠隔監視システムにおいて、主電源からの電力供給が停止された場合に主電源に代わってエレベータに電力を供給するバッテリの電圧を計測する電圧計測部と、電圧計測部が計測した計測データをエレベータ監視センタ５に送信する送信部１２と、エレベータ監視センタ５に設けられ、送信された計測データと予め設定された基準電圧値とを比較してバッテリの電圧が適正であるか否かを判断する判断部１７と、エレベータ監視センタ５に設けられ、判断部１７での判断結果を報知する報知部１６と、を備える。【選択図】図１
2009062152.tif 000002
【特許請求の範囲】
【請求項１】
主電源からの電力供給が停止された場合に前記主電源に代わってエレベータに電力を供給するバッテリの電圧を計測する電圧計測部と、
前記電圧計測部が計測した計測データをエレベータ監視センタに送信する送信部と、
前記エレベータ監視センタに設けられ、送信された前記計測データと予め設定された基準電圧値とを比較して前記バッテリの電圧が適正であるか否かを判断する判断部と、
前記エレベータ監視センタに設けられ、前記判断部での判断結果を報知する報知部と、
を備えることを特徴とするエレベータの遠隔監視システム。
【請求項２】
前記エレベータ監視センタからの指令により前記主電源からの電力供給を停止させる主電源停止部と、
前記主電源停止部により前記主電源からの電力供給が停止されてから予め設定された時間が経過した後に、電力供給元を前記バッテリから前記主電源に復旧させる復旧部と、
を備え、
前記電圧計測部は、前記バッテリから供給される電力により作動して前記バッテリの電圧を計測することを特徴とする請求項１記載のエレベータの遠隔監視システム。
【請求項３】
エレベータ乗り場に、前記主電源停止部により前記主電源からの電力供給が停止された場合に、エレベータが保守点検中であることを報知する第２報知部が設けられていることを特徴とする請求項２記載のエレベータの遠隔監視システム。
【請求項４】
前記主電源停止部による前記主電源からの電力供給を停止させて行う前記バッテリの電圧の計測は、予め設定された日時に行うことを特徴とする請求項１記載のエレベータの遠隔監視システム。
【発明の詳細な説明】
【技術分野】
【０００１】
本発明は、エレベータの遠隔監視システムに関し、特に、停電時にエレベータに電力を供給するバッテリの電圧が適正であるか否かを遠隔監視することができるエレベータの遠隔監視システムに関する。
【背景技術】
【０００２】
従来、エレベータの通常の保守は、エレベータ保守会社の専任保守員により実施されている。最近では、エレベータの運行状態を公衆回線を介して２４時間３６５日遠隔監視するシステムが普及している。
【０００３】
このような遠隔監視システムによれば、エレベータが設置された建物に取り付けた遠隔監視装置によって当該建物に設置されているエレベータの運転状態を常時監視し、監視中に収集した各種データを公衆回線を通じて監視センタに送信している。そして、監視センタに送信された各種データからエレベータの異常発生を検出した場合、又は、異常発生の虞れがあると判断した場合には、専任保守員をエレベータの設置場所に派遣し、エレベータの点検を行っている。
【０００４】
このようなエレベータの遠隔監視システムの一例として、下記特許文献１に記載されたものが知られている。特許文献１に記載されたエレベータの遠隔監視システムによれば、主電源の停電時には、補助電源であるバッテリからエレベータに電力を供給し、遠隔監視装置の駆動を継続する。バッテリから電力が供給されてから一定時間経過後、エレベータの監視情報に異常が無かった場合には、第１のスイッチ回路がオフに切り替えられてバッテリからの電力供給が停止される。バッテリからの電力供給が停止された後、非常呼びボタンがオン操作された時には、インターホンバッテリを電源として第２スイッチ回路がオンに切り替えられ、バッテリからエレベータへの電力供給が再開される。このようにして、バッテリからの電力供給が行われる時間を制限し、バッテリの枯渇を抑制している。
【特許文献１】特開２００３−１０４６４３号公報
【発明の開示】
【発明が解決しようとする課題】
【０００５】
しかしながら、補助電源であるバッテリを備えたエレベータの遠隔監視システムにおいては、停電時においてバッテリから遠隔監視装置への電力供給と、停電終了後の充電とが繰り返される。バッテリからの電力供給とバッテリの充電とが繰り返されることにより、バッテリが次第に劣化し、充電後の電圧が次第に低くなる。このため、バッテリの使用時にバッテリが短時間で枯渇するという事態や、バッテリを使用したい場合にバッテリが既に枯渇しているという事態が発生する。
【０００６】
このような事態の発生を防止するためには、専任保守員がバッテリの電圧を定期的に検査し、バッテリの電圧が基準電圧値より低下している場合にはバッテリを交換する必要がある。
【０００７】
本発明はこのような課題を解決するためになされたもので、その目的は、専任保守員によるバッテリの電圧検査を行わなくても、バッテリの電圧が適正であるか否かを検知することである。
【課題を解決するための手段】
【０００８】
本発明の実施の形態に係る第１の特徴は、エレベータの遠隔監視システムにおいて、主電源からの電力供給が停止された場合に前記主電源に代わってエレベータに電力を供給するバッテリの電圧を計測する電圧計測部と、前記電圧計測部が計測した計測データをエレベータ監視センタに送信する送信部と、前記エレベータ監視センタに設けられ、送信された前記計測データと予め設定された基準電圧値とを比較して前記バッテリの電圧が適正であるか否かを判断する判断部と、前記エレベータ監視センタに設けられ、前記判断部での判断結果を報知する報知部と、を備えることである。
【発明の効果】
【０００９】
本発明によれば、専任保守員によるバッテリの電圧検査を行わなくても、バッテリの電圧が適正であるか否かをエレベータ監視センタ内において検知することができる。
【発明を実施するための最良の形態】
【００１０】
以下、本発明の実施の形態に係るエレベータの遠隔監視システムを図面を用いて説明する。エレベータの遠隔監視システムにおいては、図１に示すように、エレベータ昇降路（図示せず）の上部にエレベータ機械室１が形成され、このエレベータ機械室１内にエレベータ制御装置２と遠隔監視装置３と巻上機（図示せず）とが設置されている。エレベータ制御装置２と遠隔監視装置３とは、伝送ライン４を介して接続されている。さらに、遠隔監視装置３は、エレベータ管理会社のエレベータ監視センタ５とネットワーク６を介して接続されている。ネットワーク６としては、インターネット、電話回線等が用いられている。
【００１１】
エレベータ制御装置２は、エレベータ乗りかご７の昇降及び停止、かごドアの開閉等を制御する。エレベータ制御装置２には、エレベータ乗り場８に設けられた乗り場操作盤９の操作釦からの操作信号や、エレベータ乗りかご７内に設けられたかご内操作盤１０の操作釦からの操作信号が入力され、入力された操作信号に応じた制御信号がエレベータ制御装置２から巻上機やドア開閉モータ（図示せず）等に出力される。巻上機が駆動されることにより、エレベータ乗りかご７が昇降される。ドア開閉モータが駆動されることに、エレベータ乗りかご７のドア（図示せず）がエレベータ乗り場のドア（図示せず）と共に開閉される。
【００１２】
遠隔監視装置３は、エレベータの運転状況に関する各種のデータを収集する受信部１１と、収集したデータをネットワーク６を介してエレベータ監視センタ５に送信する送信部１２と、電源部１３とを備えている。受信部１１で受信され、送信部１２から送信されるデータの中には、伝送ライン４を介してエレベータ制御装置２から送信されるデータや、電源部１３に設けられているバッテリ１４の電圧を計測した計測データが含まれている。電源部１３とバッテリ１４とについては後述する。
【００１３】
エレベータ監視センタ５には、遠隔監視装置３からネットワーク６を介して送信された各種のデータを個々のエレベータ毎に格納するデータベース１５と、データベース１５に格納されたデータを報知する第１報知部であるディスプレイ１６とが設けられている。さらに、エレベータ監視センタ５には、遠隔監視装置３から送信されたバッテリ１４の電圧の計測データと予め設定された基準電圧値とを比較してバッテリ１４の電圧が適正であるか否かを判断する判断部１７と、バッテリ１４の正常動作を保障する規準電圧値を記憶した記憶部１８とが設けられている。なお、規準電圧値は、バッテリ１４の容量に対応して複数の値が設定されている。
【００１４】
バッテリ１４の電圧が適正である場合とは、バッテリ１４の電圧が規準電圧値より高い場合であり、バッテリ１４の電圧が適正でない場合とは、バッテリ１４の電圧が規準電圧値より低い場合である。判断部１７での判断結果はデータベース１５に格納され、及び、格納された判断結果は報知部であるディスプレイ１６上で報知される。この報知は、自動的に行われ、又は、表示のための操作釦を操作することにより行われる。バッテリ１４の電圧が適正でないとの報知が行われた場合は、エレベータ監視センタ５の担当者から該当するエレベータの専任保守員に対し、バッテリ１４を点検し、必要な場合には交換する指示などが出される。
【００１５】
図２は、エレベータの一部である遠隔監視装置３に電力を供給する電源部１３の内部構造を示すブロック図である。電源部１３は、主電源部２０と、補助電源であるバッテリ１４とを備えている。主電源部２０は、主電源である商用電源１９の電圧を各電子回路に適した直流電圧（例えば、ＤＣ５Ｖ）に変換する。バッテリ１４は、商用電源１９の停電時等のように、商用電源１９からの電力供給が停止された場合に商用電源１９に代わって電子回路に電力を供給する。
【００１６】
バッテリ１４は主電源部２０に対して並列に接続され、バッテリ１４には電磁リレー２１と充電抵抗２２とが直列に接続されている。さらに、充電抵抗２２と並列にダイオード２３が接続されている。電磁リレー２１は、バッテリ１４からの電力供給が開始された後の予め設定された時間、遠隔監視装置３で収集したデータに変化がなかった場合にオフとされ、それ以外の場合にはオンとされている。
【００１７】
商用電源１９の電圧は、主電源部２０によりＤＣ７．２Ｖ程度に変換される。主電源部２０の出力電圧は、一方では、充電抵抗２２を介してバッテリ１４を充電し、他方では、ＤＣ／ＤＣコンバータ２４を介して電子回路を動作させるために適した電圧（例えば、ＤＣ５Ｖ）に変換される。なお、商用電源１９によるエレベータの動作時には、バッテリ１４は常時充電状態とされている。
【００１８】
主電源部２０には、バッテリ１４の保守点検のために商用電源１９からの電力供給を停止させる主電源停止部である電磁リレー２５が設けられている。この電磁リレー２５は、バッテリ１４の保守点検の指示信号が入力されることによりオフとされ、オフとされることにより商用電源１９からの電力供給が停止される。電磁リレー２５がオフとなって商用電源１９からの電力供給が停止された場合には、バッテリ１４から電磁リレー２１とダイオード２３とを介して電力が供給される。また、電磁リレー２５は、オフにされて商用電源１９からの電力供給が停止されてから予め設定した時間が経過した後にオンとされ、電力供給元をバッテリ１４から商用電源１９に自動的に復旧させる復旧部としても機能する。
【００１９】
さらに、電源部１３には、商用電源１９からの電力供給が停止された場合にバッテリ１４の電圧を計測する電圧計測部２６が設けられている。この電圧計測部２６は、バッテリ１４からの電力供給時にはバッテリ１４から供給される電力により作動する。計測されたバッテリ１４の電圧の計測データは、送信部１２からネットワーク６を介してエレベータ監視センタ５に送信される。エレベータ監視センタ５に送信された電圧の計測データは、記憶部１８に記憶された基準電圧値に達したか否か（適正であるか否か）が判断部１７において判断され、その判断結果は各エレベータに対応したデータベース１５に格納されるとともにディスプレイ１６に表示される。
【００２０】
各階床のエレベータ乗り場８には、図３に示すように、三方枠２７の上部に第２報知部であるディスプレイ２８が設けられている。このディスプレイ２８には、電磁リレー２５がオフになって商用電源１９からの電力供給が停止された場合、エレベータのバッテリ１４がの保守点検中である旨の表示が行われる。この表示は、電磁リレー２５がオンになって電力供給元がバッテリ１４から商用電源１９に復旧した場合に終了する。
【００２１】
主電源停止部２５により商用電源１９からの電力供給を停止させて行うバッテリ１４の電圧の計測は、予め予定された日時に行われる。例えば、毎週の何曜日、毎月の何日というように設定された日に行われる。さらに、その日のうちで、エレベータ利用者が最も少ない時間帯に行われる。
【００２２】
エレベータの遠隔監視システムによるバッテリ１４の電圧計測の処理について、図４のフローチャートに基づいて説明する。
【００２３】
まず、エレベータ監視センタ５から、バッテリ１４の保守点検の指示があったか否かが判断される（Ｓ１）。この保守点検の指示は、エレベータ監視センタ５から指示信号が送信されてもよく、又は、設定した日時に遠隔監視装置３内で発生されてもよい。保守点検の指示信号が有った場合には（Ｓ１のＹＥＳ）、エレベータ乗り場８のディスプレイ２８にエレベータのバッテリ１４が保守点検中である旨の表示が行われ（Ｓ２）、電磁リレー２５がオフとなって商用電源１９からの電力供給が停止される（Ｓ３）。なお、商用電源１９からの電力供給が停止されると、同時にバッテリ１４からの電力供給が開始される。
【００２４】
バッテリ１４からの電力供給が開始された後、電圧計測部２６によるバッテリ１４の電圧が計測され（Ｓ４）、計測データがエレベータ監視センタ５に送信される（Ｓ５）。
【００２５】
ついで、保守点検のために予め設定された時間が経過したか否かが判断され（Ｓ６）、設定した時間が経過した場合には（Ｓ６のＹＥＳ）、電磁リレー２５がオンとなって商用電源１９からの電力供給が再開される（Ｓ７）。なお、商用電源１９からの電力供給が再開されると、バッテリ１４からの電力供給が終了し、バッテリ１４は商用電源１９からの電力により充電される状態となる。商用電源１９からの電力供給が再開された後、ディスプレイ２８に表示されていた保守点検中である旨の表示が終了し（Ｓ８）、一連の制御が終了する。
【００２６】
図５は、バッテリ１４の電圧の計測データがエレベータ監視センタ５に送信された場合に、エレベータ監視センタ５で行われる処理について説明するフローチャートである。
【００２７】
まず、バッテリ１４の電圧の計測データが送信されたか否かが判断される（Ｓ１１）。電圧の計測データが送信された場合には（Ｓ１１のＹＥＳ）、送信された計測データと記憶部１８に記憶されている規準電圧値とが比較され、バッテリ１４の電圧が適正であるか否かが判断部１７において判断される（Ｓ１２）。
【００２８】
バッテリ１４の電圧が適正であると判断された場合は（Ｓ１２のＹＥＳ）、判断結果がデータベース１５に格納され（Ｓ１３）、一連の処理が終了する。
【００２９】
一方、バッテリ１４の電圧が適正でないと判断された場合は（Ｓ１２のＮＯ）、判断結果がディスプレイ１６に表示され（Ｓ１４）、及び、判断結果がデータベース１５に格納され（Ｓ１３）、一連の処理が終了する。
【００３０】
このような構成において、このエレベータの遠隔監視システムは、通常時には商用電源１９から電力を供給されて動作し、停電時にはバッテリ１４から電力を供給されて動作する。
【００３１】
バッテリ１４の電圧が適正であるか否かを検知する場合には、保守点検の指示信号に基づいて電磁リレー２５がオフになる。電磁リレー２５がオフになると、商用電源１９からの電力供給が停止され、バッテリ１４からの電力供給が開始される。バッテリ１４からの電力供給が開始されると、バッテリ１４の電圧が電圧計測部２６により計測される。電圧計測部２６で計測された計測データは、送信部１２からネットワーク６を介してエレベータ監視センタ５に送信される。
【００３２】
電圧計測部２６は、バッテリ１４から供給される電力により作動してバッテリ１４の電圧を計測するので、電圧計測部２６を作動させる専用の電源を準備することは不要となる。
【００３３】
エレベータ監視センタ５に送信されたバッテリ１４の電圧の計測データは、記憶部１８に記憶されている規準電圧値と比較され、バッテリ１４の電圧が適正であるか否かが判断される。バッテリ１４の電圧が適正でないと判断された場合には、その判断結果がディスプレイ１６に表示される。このため、このディスプレイ１６の表示を見ることにより、エレベータ監視センタ５の担当者は、或るエレベータのバッテリ１４の電圧が適正でないことを知ることができ、専任保守員に対してバッテリ１４の点検やバッテリ１４の交換等の指示を出すことができる。
【００３４】
したがって、専任保守員が個々のエレベータの設置場所に出向いてバッテリ１４の電圧検査を行わなくても、バッテリ１４の電圧が適正であるか否かをエレベータ監視センタ５内において確実に知ることができ、必要な点検や交換を迅速に行うことができる。
【００３５】
バッテリ１４の電圧の保守点検を行っている場合には、保守点検中である旨がエレベータ乗り場８のディスプレイ２８に表示され、保守点検中であることをエレベータ利用者に知らせることができる。
【００３６】
また、バッテリ１４の電圧の保守点検は、予め設定されている日時に行われるため、バッテリ１４の電圧の保守点検を定期的に確実に行うことができる。
【００３７】
さらに、バッテリ１４の電圧の保守点検を、エレベータ利用者が最も少ない時間帯に行うことにより、保守点検のためにエレベータを利用できないという事態の発生を抑制することができる。
【図面の簡単な説明】
【００３８】
【図１】本発明の一実施の形態に係るエレベータの遠隔監視システムを示すブロック図である。
【図２】遠隔監視装置の電源部のブロック図である。
【図３】エレベータ乗り場を示す模式図である。
【図４】エレベータの遠隔監視システムによるバッテリの電圧計測の処理について説明するフローチャートである。
【図５】バッテリの電圧の計測データがエレベータ監視センタに送信された場合にエレベータ監視センタで行われる処理について説明するフローチャートである。
【符号の説明】
【００３９】
５      エレベータ監視センタ
８      エレベータ乗り場
１２      送信部
１４      バッテリ
１６      報知部
１７      判断部
１９      主電源
２５      主電源停止部、復旧部
２６      電圧計測部
２８      第２報知部
【図１】
2009062152.tif 000003
【図２】
2009062152.tif 000004
【図３】
2009062152.tif 000005
【図４】
2009062152.tif 000006
【図５】
2009062152.tif 000007